(57)【特許請求の範囲】
【請求項１】
複数台のＡＶ（Audio Visual）機器を連結するためのＩＦ（InterFace ）回路に特徴を有するＡＶ機器であって、次の（１）〜（７）の各要件を備える。
（１）ＩＦ回路は装置制御部、論理判断プロセッサ、ＡＶ信号制御回路からなる。
（２）装置制御部は当該ＡＶ機器の動作を制御する機能と、利用者が当該ＡＶ機器に設けられた操作パネル等の入力装置に対して所定の操作を行うことにより発生する利用リクエスト信号を検知する機能とを備える。ＡＶ信号制御回路は論理判断プロセッサにより制御され、入力される２つのＡＶ信号を適宜切り換えて一方のＡＶ信号を出力する機能を備える。
（３）ＡＶ信号制御回路には上流からのＡＶ信号ＡＶin、当該ＡＶ機器が生成するＡＶ信号ＡＶs が入力され、ＡＶ信号ＡＶout を下流へ出力する。論理判断プロセッサには上流側ステータス信号Ｕin、下流側ステータス信号Ｄin、装置制御部からのステータス信号Ｓinが入力され、装置制御部へ向けたステータス信号Ｓout 、上流へ向けたステータス信号Ｕout 、下流へ向けたステータス信号Ｄout を出力する。
（４）各ＡＶ機器は稼働状態、休止状態のいずれかの状態をとり、Ｕin、Ｄin、Ｕout 、Ｄout には稼動状態にあるＡＶ機器の存在有無を示す稼動状態信号［Ｐ］が含まれる。稼動状態信号［Ｐ］は、《有》もしくは《無》の状態をとる。
（５）論理判断プロセッサは、Ｕin、Ｄin、Ｓinの［Ｐ］に応じて以下の（イ）〜（ハ）の処理を行う。
（イ）Ｕin、Ｓinのいずれかの［Ｐ］が《有》の場合にはＤout の［Ｐ］を《有》とし、Ｕin、Ｓinのいずれの［Ｐ］も《無》の場合にはＤout の［Ｐ］を《無》とする。
（ロ）Ｄin、Ｓinのいずれかの［Ｐ］が《有》の場合にはＵout の［Ｐ］を《有》とし、Ｄin、Ｓinのいずれの［Ｐ］も《無》の場合にはＵout の［Ｐ］を《無》とする。
（ハ）Ｕin、Ｄinのいずれかの［Ｐ］が《有》の場合にはＳout の［Ｐ］を《有》とし、Ｕin、Ｄinのいずれの［Ｐ］も《無》の場合にはＳout の［Ｐ］を《無》にする。
（６）論理判断プロセッサはＡＶ信号制御回路に対し以下の（ニ）〜（ホ）の制御を行う。
（ニ）Ｕinの［Ｐ］が《有》の場合にはＡＶinをＡＶout として出力する。
（ホ）Ｓinの［Ｐ］が《有》の場合にはＡＶs をＡＶout として出力する。
（７）装置制御部は利用リクエストを検知した場合、以下の（ヘ）〜（ト）の処理を行う。
（へ）Ｓout の［Ｐ］が《無》であれば利用リクエストを受け付けて当該ＡＶ機器を稼働状態とし、Ｓinの［Ｐ］を《有》とする。
（ト）当該ＡＶ機器が休止状態になった場合にはＳinの［Ｐ］を《無》にする。
【請求項２】
複数台のＡＶ機器を連結するためのＩＦ（InterFace ）回路に特徴を有するＡＶ機器であって、次の（１）〜（８）の各要件を備える。
（１）ＩＦ回路は装置制御部、論理判断プロセッサ、映像合成回路からなる。
（２）装置制御部は当該ＡＶ機器の動作を制御する機能と、利用者が当該ＡＶ機器に設けられた操作パネル等の入力装置に対して所定の操作を行うことにより発生する利用リクエスト信号を検知する機能とを備える。映像合成回路は論理判断プロセッサにより制御される。
（３）映像合成回路には上流からのＡＶ信号ＡＶin、当該ＡＶ機器が生成するＡＶ信号ＡＶs が入力され、ＡＶ信号ＡＶout を下流へ出力する。論理判断プロセッサには上流側ステータス信号Ｕin、下流側ステータス信号Ｄin、装置制御部からのステータス信号Ｓinが入力され、装置制御部へ向けたステータス信号Ｓout 、上流へ向けたステータス信号Ｕout 、下流へ向けたステータス信号Ｄout を出力する。
（４）映像合成回路はＡＶinとＡＶs とを合成しその信号をＡＶout として出力する。合成に際し２つのＡＶ信号はそれぞれメインチャンネルとサブチャンネルに割り振られる。
（５）各ＡＶ機器は稼働状態、待機状態、休止状態のいずれかの状態をとり、Ｕin、Ｄin、Ｕout 、Ｄout 、Ｓin、Ｓout には待機状態にあるＡＶ機器の存在有無を示す待機状態信号［Ｓ］と、稼動状態にあるＡＶ機器の存在有無を示す稼動状態信号［Ｐ］とが含まれる。待機状態信号［Ｓ］および稼動状態信号［Ｐ］は、《有》もしくは《無》の状態をとる。
（６）論理判断プロセッサは、Ｕin、Ｄin、Ｓinの待機状態信号［Ｓ］および稼動状態信号［Ｐ］に応じて以下の（イ）〜（へ）の処理を行う。
（イ）Ｕin、Ｓinのいずれかの［Ｓ］が《有》の場合にはＤout の［Ｓ］を《有》とする。
（ロ）Ｄin、Ｓinのいずれかの［Ｓ］が《有》の場合にはＵout の［Ｓ］を《有》とする。
（ハ）Ｕin、Ｄinのいずれかの［Ｓ］が《有》の場合にはＳout の［Ｓ］を《有》とする。
（ニ）Ｕin、Ｓinのいずれかの［Ｐ］が《有》の場合にはＤout の［Ｐ］を《有》とする。
（ホ）Ｄin、Ｓinのいずれかの［Ｐ］が《有》の場合にはＵout の［Ｐ］を《有》とする。
（へ）Ｕin、Ｄinのいずれかの［Ｐ］が《有》の場合にはＳout の［Ｐ］を《有》とする。
（７）論理判断プロセッサは映像合成回路を以下の（ト）〜（ル）のように制御する。
（ト）Ｓinの［Ｓ］および［Ｐ］が共に《無》であり、かつ、Ｕinの［Ｓ］もしくは［Ｐ］が《有》であればＡＶinをＡＶout とする。
（チ）Ｓinの［Ｓ］が《有》であり、かつ、Ｕinの［Ｐ］が《無》の場合にはＡＶs をＡＶout とする。
（リ）Ｓinの［Ｓ］が《有》であり、かつ、Ｕinの［Ｐ］が《有》の場合には、ＡＶinをメインチャンネル、ＡＶs をサブチャンネルとして合成し、これをＡＶout とする。
（ヌ）Ｓinの［Ｐ］が《有》であり、かつ、Ｕinの［Ｓ］が《無》の場合にはＡＶs をＡＶout とする。
（ル）Ｓinの［Ｐ］が《有》であり、かつ、Ｕinの［Ｓ］が《有》の場合には、ＡＶs をメインチャンネル、ＡＶinをサブチャンネルとして合成し、これをＡＶout とする。
（８）装置制御部は利用リクエスト信号を検知した際に以下の（ヲ）〜（ヨ）の処理を行う。
（ヲ）当該ＡＶ機器が待機状態（Ｓinの［Ｓ］が《有》）または稼動状態（Ｓinの［Ｐ］が《有》）であれば利用リクエストを受け付けない。
（ワ）Ｓout の［Ｓ］が《無》、かつ、Ｓout の［Ｐ］が《無》であれば利用リクエストを受け付けて当該ＡＶ機器を待機状態とし、Ｓinの［Ｓ］を《有》にする。続いて当該ＡＶ機器を稼動状態とし、Ｓinの［Ｐ］を《有》にし、Ｓinの［Ｓ］を《無》にする。
（カ）Ｓout の［Ｓ］が《無》、かつ、Ｓout の［Ｐ］が《有》であれば利用リクエストを受け付けて当該ＡＶ機器を待機状態とし、Ｓinの［Ｓ］を《有》にする。Ｓout の［Ｐ］が《無》に変わった段階で当該ＡＶ機器を稼動状態とし、Ｓinの［Ｐ］を《有》にし、Ｓinの［Ｓ］を《無》にする。
（ヨ）当該ＡＶ機器が休止状態になった場合にはＳinの［Ｐ］を《無》にする。
【請求項３】
請求項２において、前記映像合成回路によるＡＶ信号の合成がＰｉｎＰ（Picture in Picture）回路を用いて行われることを特徴とする複数台のＡＶ機器を連結するためのＩＦ回路に特徴を有するＡＶ機器。
【請求項４】
前記各ステータス信号の入出力インタフェースがＲＳ−２３２Ｃ規格であることを特徴とする請求項１から３のいずれかに記載の複数台のＡＶ機器を連結するためのＩＦ回路に特徴を有するＡＶ機器。
【請求項５】
前記ＡＶ機器が課金装置を備える場合であって、前記利用リクエスト信号が、この課金装置に対して貨幣やプリペイドカード、ＩＣカード等が投入された場合に発生するようにしてなることを特徴とする請求項１から４のいずれかに記載の複数台のＡＶ機器を連結するためのＩＦ回路に特徴を有するＡＶ機器。
【発明の詳細な説明】
【０００１】
【発明の属する技術分野】
この発明は、複数台のＡＶ（Audio Visual）機器を連結するためのＩＦ（InterFace ）回路に特徴を有するＡＶ機器に関し、特に複数台のＡＶ機器で同一のディスプレイ、スピーカ等を共用する技術に関する。
【０００２】
【従来の技術】
顧客ニーズの多様化に伴って、最近のカラオケ店におけるカラオケルームにはカラオケ装置だけでなく、ビデオゲーム装置やＣＳディジタル多チャンネル放送用のＩＲＤ装置（Integrated Receiver Decorder）といったカラオケ装置以外の娯楽を提供するＡＶ機器が設置されることが多くなってきている。
【０００３】
ところで、これらのＡＶ機器は狭いカラオケルーム等のスペースを有効に利用できるように、ＡＶセレクタ等の切換装置を介して複数台のＡＶ機器で同じディスプレイ装置やスピーカ装置を共用する構成になっていることが多い。
【０００４】
【発明が解決しようとする課題】
しかしながら、ＡＶセレクタ等の切換装置は、性質の異なるＡＶ機器をスムーズに制御する必要があるため一般に複雑なセッティング作業をしなくてはならず、特にＡＶ機器の増設・撤去・配置換え時においてはこのセッティングに多くの手間がかかっていた。また、切換装置に予め用意されている接続ポート数を超える台数のＡＶ機器を設置する場合には、新たに切換装置を増設する必要があった。
【０００５】
本発明はこのような事情に鑑みてなされたものであって、その目的は、ディスプレイやスピーカ等の機器を共用する形態で、ＡＶ機器の増設・撤去・配置換え等を画一的で簡単な接続規則に従って自由に行えるようにすることにある。
【０００６】
【課題を解決するための手段】
前記の目的を達成するため、本発明における請求項１に係る発明は、複数台のＡＶ（Audio Visual）機器を連結するためのＩＦ（InterFace ）回路に特徴を有するＡＶ機器であって、次の（１）〜（７）の各要件を備えることとする。
【０００７】
（１）ＩＦ回路は装置制御部、論理判断プロセッサ、ＡＶ信号制御回路からなる。
【０００８】
（２）装置制御部は当該ＡＶ機器の動作を制御する機能と、利用者が当該ＡＶ機器に設けられた操作パネル等の入力装置に対して所定の操作を行うことにより発生する利用リクエスト信号を検知する機能とを備える。ＡＶ信号制御回路は論理判断プロセッサにより制御され、入力される２つのＡＶ信号を適宜切り換えて一方のＡＶ信号を出力する機能を備える。
【０００９】
（３）ＡＶ信号制御回路には上流からのＡＶ信号ＡＶin、当該ＡＶ機器が生成するＡＶ信号ＡＶs が入力され、ＡＶ信号ＡＶout を下流へ出力する。論理判断プロセッサには上流側ステータス信号Ｕin、下流側ステータス信号Ｄin、装置制御部からのステータス信号Ｓinが入力され、装置制御部へ向けたステータス信号Ｓout 、上流へ向けたステータス信号Ｕout 、下流へ向けたステータス信号Ｄout を出力する。
【００１０】
（４）各ＡＶ機器は稼働状態、休止状態のいずれかの状態をとり、Ｕin、Ｄin、Ｕout 、Ｄout には稼動状態にあるＡＶ機器の存在有無を示す稼動状態信号［Ｐ］が含まれる。稼動状態信号［Ｐ］は、《有》もしくは《無》の状態をとる。
【００１１】
（５）論理判断プロセッサは、Ｕin、Ｄin、Ｓinの［Ｐ］に応じて以下の（イ）〜（ハ）の処理を行う。
（イ）Ｕin、Ｓinのいずれかの［Ｐ］が《有》の場合にはＤout の［Ｐ］を《有》とし、Ｕin、Ｓinのいずれの［Ｐ］も《無》の場合にはＤout の［Ｐ］を《無》とする。
（ロ）Ｄin、Ｓinのいずれかの［Ｐ］が《有》の場合にはＵout の［Ｐ］を《有》とし、Ｄin、Ｓinのいずれの［Ｐ］も《無》の場合にはＵout の［Ｐ］を《無》とする。
（ハ）Ｕin、Ｄinのいずれかの［Ｐ］が《有》の場合にはＳout の［Ｐ］を《有》とし、Ｕin、Ｄinのいずれの［Ｐ］も《無》の場合にはＳout の［Ｐ］を《無》にする。
【００１２】
（６）論理判断プロセッサはＡＶ信号制御回路に対し以下の（ニ）〜（ホ）の制御を行う。
（ニ）Ｕinの［Ｐ］が《有》の場合にはＡＶinをＡＶout として出力する。
（ホ）Ｓinの［Ｐ］が《有》の場合にはＡＶs をＡＶout として出力する。
【００１３】
（７）装置制御部は利用リクエストを検知した場合、以下の（ヘ）〜（ト）の処理を行う。
（へ）Ｓout の［Ｐ］が《無》であれば利用リクエストを受け付けて当該ＡＶ機器を稼働状態とし、Ｓinの［Ｐ］を《有》とする。
（ト）当該ＡＶ機器が休止状態になった場合にはＳinの［Ｐ］を《無》にする。
【００１４】
また、本発明の請求項２に係る発明は、複数台のＡＶ機器を連結するためのＩＦ（InterFace ）回路に特徴を有するＡＶ機器であって、次の（１）〜（８）の各要件を備えることとする。
【００１５】
（１）ＩＦ回路は装置制御部、論理判断プロセッサ、映像合成回路からなる。
【００１６】
（２）装置制御部は当該ＡＶ機器の動作を制御する機能と、利用者が当該ＡＶ機器に設けられた操作パネル等の入力装置に対して所定の操作を行うことにより発生する利用リクエスト信号を検知する機能とを備える。映像合成回路は論理判断プロセッサにより制御される。
【００１７】
（３）映像合成回路には上流からのＡＶ信号ＡＶin、当該ＡＶ機器が生成するＡＶ信号ＡＶs が入力され、ＡＶ信号ＡＶout を下流へ出力する。論理判断プロセッサには上流側ステータス信号Ｕin、下流側ステータス信号Ｄin、装置制御部からのステータス信号Ｓinが入力され、装置制御部へ向けたステータス信号Ｓout 、上流へ向けたステータス信号Ｕout 、下流へ向けたステータス信号Ｄout を出力する。
【００１８】
（４）映像合成回路はＡＶinとＡＶs とを合成しその信号をＡＶout として出力する。合成に際し２つのＡＶ信号はそれぞれメインチャンネルとサブチャンネルに割り振られる。
【００１９】
（５）各ＡＶ機器は稼働状態、待機状態、休止状態のいずれかの状態をとり、Ｕin、Ｄin、Ｕout 、Ｄout 、Ｓin、Ｓout には待機状態にあるＡＶ機器の存在有無を示す待機状態信号［Ｓ］と、稼動状態にあるＡＶ機器の存在有無を示す稼動状態信号［Ｐ］とが含まれる。待機状態信号［Ｓ］および稼動状態信号［Ｐ］は、《有》もしくは《無》の状態をとる。
【００２０】
（６）論理判断プロセッサは、Ｕin、Ｄin、Ｓinの待機状態信号［Ｓ］および稼動状態信号［Ｐ］に応じて以下の（イ）〜（へ）の処理を行う。
（イ）Ｕin、Ｓinのいずれかの［Ｓ］が《有》の場合にはＤout の［Ｓ］を《有》とする。
（ロ）Ｄin、Ｓinのいずれかの［Ｓ］が《有》の場合にはＵout の［Ｓ］を《有》とする。
（ハ）Ｕin、Ｄinのいずれかの［Ｓ］が《有》の場合にはＳout の［Ｓ］を《有》とする。
（ニ）Ｕin、Ｓinのいずれかの［Ｐ］が《有》の場合にはＤout の［Ｐ］を《有》とする。
（ホ）Ｄin、Ｓinのいずれかの［Ｐ］が《有》の場合にはＵout の［Ｐ］を《有》とする。
（へ）Ｕin、Ｄinのいずれかの［Ｐ］が《有》の場合にはＳout の［Ｐ］を《有》とする。
【００２１】
（７）論理判断プロセッサは映像合成回路を以下の（ト）〜（ル）のように制御する。
（ト）Ｓinの［Ｓ］および［Ｐ］が共に《無》であり、かつ、Ｕinの［Ｓ］もしくは［Ｐ］が《有》であればＡＶinをＡＶout とする。
（チ）Ｓinの［Ｓ］が《有》であり、かつ、Ｕinの［Ｐ］が《無》の場合にはＡＶs をＡＶout とする。
（リ）Ｓinの［Ｓ］が《有》であり、かつ、Ｕinの［Ｐ］が《有》の場合には、ＡＶinをメインチャンネル、ＡＶs をサブチャンネルとして合成し、これをＡＶout とする。
（ヌ）Ｓinの［Ｐ］が《有》であり、かつ、Ｕinの［Ｓ］が《無》の場合にはＡＶs をＡＶout とする。
（ル）Ｓinの［Ｐ］が《有》であり、かつ、Ｕinの［Ｓ］が《有》の場合には、ＡＶs をメインチャンネル、ＡＶinをサブチャンネルとして合成し、これをＡＶout とする。
【００２２】
（８）装置制御部は利用リクエスト信号を検知した際に以下の（ヲ）〜（ヨ）の処理を行う。
（ヲ）当該ＡＶ機器が待機状態（Ｓinの［Ｓ］が《有》）または稼動状態（Ｓinの［Ｐ］が《有》）であれば利用リクエストを受け付けない。
（ワ）Ｓout の［Ｓ］が《無》、かつ、Ｓout の［Ｐ］が《無》であれば利用リクエストを受け付けて当該ＡＶ機器を待機状態とし、Ｓinの［Ｓ］を《有》にする。続いて当該ＡＶ機器を稼動状態とし、Ｓinの［Ｐ］を《有》にし、Ｓinの［Ｓ］を《無》にする。
（カ）Ｓout の［Ｓ］が《無》、かつ、Ｓout の［Ｐ］が《有》であれば利用リクエストを受け付けて当該ＡＶ機器を待機状態とし、Ｓinの［Ｓ］を《有》にする。Ｓout の［Ｐ］が《無》に変わった段階で当該ＡＶ機器を稼動状態とし、Ｓinの［Ｐ］を《有》にし、Ｓinの［Ｓ］を《無》にする。
（ヨ）当該ＡＶ機器が休止状態になった場合にはＳinの［Ｐ］を《無》にする。
【００２３】
ここで、前記映像合成回路によるＡＶ信号の合成は、例えばＰｉｎＰ（Picture in Picture）回路を用いて行うこととする（請求項３）。
【００２４】
また、前記各ステータス信号の入出力インタフェースとしては、例えば、ＲＳ−２３２Ｃ規格を用いる（請求項４）。
【００２５】
さらにまた、前記ＡＶ機器が課金装置を備える場合には、この課金装置に貨幣やプリペイドカード、ＩＣカード等が投入されることによって前記利用リクエスト信号が発生するようにしてもよい（請求項５）。
【００２６】
【発明の実施の形態】
以下、本発明の一実施例につき詳細に説明する。図１に示すように、ディスプレイ＆スピーカシステム３にカラオケ装置５、ビデオゲーム装置７、ＤＶＤ装置８、ＩＲＤ装置９の４つのＡＶ機器を連結している。各ＡＶ機器は、ディスプレイ＆スピーカシステム３を共用する。尚、以下の説明では上流側および下流側という表現を用いるが、上流側とはある特定のＡＶ機器に着目した場合に前述したディスプレイ＆スピーカシステム３から遠い側のことを指すものとし、下流側とはディスプレイ＆スピーカシステム３に近い側を指すものとする。例えば、この実施例において、ビデオゲーム装置７に着目してこの表現を用いると、カラオケ装置５はビデオゲーム装置７の下流側に接続しているということになり、また、ＤＶＤ装置８やＩＲＤ装置９はビデオゲーム装置７の上流側に接続しているということになる。
【００２７】
＝＝＝各機器の概略構成＝＝＝
次に各機器の概略構成について述べる。
【００２８】
＜ディスプレイ＆スピーカシステム＞
ディスプレイ＆スピーカシステム３は、ＡＶ信号の入力端子を備え、ＡＶ端子に入力される映像信号を映像再生回路によりブラウン管上に写し出すディスプレイと、ＡＶ端子に入力される音声信号をオーディオアンプ回路を介して出力するスピーカとによって基本構成される。ディスプレイ＆スピーカシステム３は外部から入力されるＡＶ信号を再生する。
【００２９】
＜カラオケ装置＞
カラオケ装置５は、装置全体を統括制御するＣＰＵ・ＲＡＭ・ＲＯＭ・ハードディスク装置等を中心とするコンピュータと、カラオケ演奏に用いる背景映像等を再生するレーザディスク装置等による背景映像再生部と、楽曲データを再生する音声再生部と、利用者による指示を受け付ける操作パネルにより基本構成される。カラオケ装置５は、背景映像再生部と音声再生部により再生されたＡＶ信号を外部に出力する。
【００３０】
＜ビデオゲーム装置＞
ビデオゲーム装置７は、装置全体を統括制御するＣＰＵ・ＲＯＭ・ＲＡＭ・ビデオＲＡＭ等を中心とするコンピュータと、効果音・ゲーム音楽等を生成するサウンドジェネレータと、ゲームコントローラ等の操作入力部と、操作入力部を制御する操作制御部等によって基本構成される。ビデオゲーム装置７は、ゲームの進行に伴って生成されるゲーム映像と音声とをＡＶ信号として外部に出力する。
【００３１】
＜ＤＶＤ装置＞
ＤＶＤ装置８は着脱可能なＤＶＤ−ＲＯＭ装着部を備えるＤＶＤ−ＲＯＭの再生装置であって、ＤＶＤ−ＲＯＭに記録されているＡＶ信号を再生して外部に出力する。
【００３２】
＜ＩＲＤ装置＞
ＩＲＤ装置９はパラボラアンテナがとらえたディジタル放送番組を受信・再生してそのＡＶ信号を外部に出力する。
【００３３】
＝＝＝各機器における信号の入出力＝＝＝
各機器の入出力端子には次のような信号が入出力する。
【００３４】
＜ディスプレイ＆スピーカシステム＞
ディスプレイ＆スピーカシステム３にはカラオケ装置５のＡＶ出力信号が入力する。
【００３５】
＜カラオケ装置＞
カラオケ装置５には、ビデオゲーム装置７のＡＶ出力信号および上流側ステータス信号が入力する。
【００３６】
＜ビデオゲーム装置＞
ビデオゲーム装置７には、カラオケ装置５の下流側ステータス信号と、ＤＶＤ装置８のＡＶ出力信号および上流側ステータス信号が入力する。
【００３７】
＜ＤＶＤ装置＞
ＤＶＤ装置８には、ビデオゲーム装置７の下流側ステータス信号と、ＩＲＤ装置９のＡＶ出力信号および上流側ステータス信号が入力する。
【００３８】
＜ＩＲＤ装置＞
ＩＲＤ装置９にはＤＶＤ装置８の下流側ステータス信号が入力する。
【００３９】
＝＝＝各ＡＶ機器の動作＝＝＝
＜稼動状態、待機状態、休止状態＞
各ＡＶ機器は稼働状態、待機状態、休止状態の３つの状態をとる。
稼動状態…ＡＶ機器が実際に演奏や再生、ゲームプレイ等を進行させている状態である。
待機状態…ＡＶ機器が稼働状態に備えて待機している状態であり、稼動状態にある機器の演奏が終了する等、所定の条件が整うと待機状態にあるＡＶ機器は稼働状態へと移行する。
休止状態…装置が待機状態でも稼動状態でもない状態である。
【００４０】
＜動作例＞
図２はこの構成による各ＡＶ機器の動作例（ｓ１〜ｓ９）を示したものである。尚、図２において特にＡＶ機器の状態が記載されていない場合は、そのＡＶ機器が休止状態であることを意味する。
【００４１】
▲１▼ｓ１、ｓ２
ｓ１はカラオケ装置５が待機状態で、他の機器が休止状態である場合である。ディスプレイにはカラオケ装置５の曲名やアーティスト名等が記載されたカラオケタイトル画面が表示されている。利用者によって演奏開始のリクエスト操作が行われるとカラオケ装置５は稼動状態となり（ｓ２）、ディスプレイにはカラオケ装置５から送られてくる歌詞テロップや背景映像など映像が表示され、スピーカからはカラオケ装置５から送られてくる伴奏音楽が流れる。演奏が終了するとカラオケ装置５は休止状態に移行する。
【００４２】
▲２▼ｓ３、ｓ４
ｓ３においてはカラオケ装置５が稼動状態、ビデオゲーム装置７が待機状態となっている。ディスプレイにはカラオケ装置５から送られてくる歌詞テロップや背景映像など映像を親画面、ビデオゲーム装置７から送られてくるゲームタイトル画面を子画面として合成した映像が表示される。スピーカからはカラオケ装置５から送られてくる伴奏音楽が流れる。ビデオゲーム装置７はカラオケ装置５の演奏が終了すれば稼動状態ｓ４に移行する。ゲームプレイが終了すればビデオゲーム装置７は休止状態に移行する。
【００４３】
▲３▼ｓ５、ｓ６
ｓ５においては、ビデオゲーム装置７が稼動状態、カラオケ装置５が待機状態となっている。ディスプレイにはビデオゲーム装置７から送られてくるゲーム映像を親画面、カラオケ装置５から送られてくるカラオケタイトル画面を子画面とした映像が表示される。スピーカからはビデオゲーム装置７から送られてくるゲーム効果音やゲーム音楽が流れる。ゲームプレイが終了すればビデオゲーム装置７は休止状態へと移行し（ｓ６）、カラオケタイトル画面が親画面として表示された状態になる。利用者によって演奏開始のリクエスト操作が行われるとカラオケ装置５は稼動状態に移行する。
【００４４】
▲４▼ｓ７、ｓ８
ｓ７においては、カラオケ装置５が稼動状態、ＤＶＤ装置８が待機状態となっている。ディスプレイにはカラオケ装置５から送られてくる歌詞テロップや背景映像など映像を親画面、ＤＶＤ装置８から送られてくるプロモーションビデオなどのタイトル画面を子画面とした映像が表示され、カラオケ装置５から送られてくる伴奏音楽が流れる。カラオケ装置５の演奏が終了するとカラオケ装置５は休止状態になり、ＤＶＤ装置８は直ちに稼動状態に移行する（ｓ８）。
【００４５】
▲５▼ｓ９
ｓ９においては、ＩＲＤ装置９のみが稼動状態となっている。ディスプレイおよびスピーカはＩＲＤ装置９から送られてくる映像および音声を再生する。
【００４６】
＝＝＝ＩＦ回路の構成＝＝＝
以上に説明した各ＡＶ機器の動作は各ＡＶ機器に内蔵されているＩＦ（InterFace ）回路１１によって実現される。図３はＩＦ回路の概略ブロック構成図である。図３に示すように、ＩＦ回路は、装置制御部１２、ＰｉｎＰ（Picture in Picture）回路１３および論理判断プロセッサ１５からなる。
【００４７】
＜装置制御部＞
装置制御部１２は当該ＡＶ機器の動作制御を行う。また、利用者が当該ＡＶ機器に設けられた操作パネル等の入力装置に対して所定の操作を行うことにより発生するリクエスト信号を検知する。装置制御部１２には次の信号が入出力する。
Ｓin…論理判断プロセッサへ向けたステータス信号
Ｓout …論理判断プロセッサからのステータス信号
＜論理判断プロセッサ＞
論理判断プロセッサ１５には次のステータス信号が入出力する。
Ｓout …装置制御部に向けたステータス信号
Ｓin…装置制御部からのステータス信号
Ｕin…上流側ＡＶ機器からのステータス信号
Ｕout …上流側ＡＶ機器に向けたステータス信号
Ｄin…下流側ＡＶ機器からのステータス信号
Ｄout …下流側ＡＶ機器に向けたステータス信号
ここで、これらのステータス信号には待機中のＡＶ機器の存在有無を示す待機状態信号［Ｓ］と、稼動中の機器の存在有無を示す稼動状態信号［Ｐ］とが含まれている。待機状態信号［Ｓ］および稼動状態信号［Ｐ］は、《有》もしくは《無》の状態をとる。
【００４８】
＜ＰｉｎＰ回路＞
ＰｉｎＰ回路１３には次のＡＶ信号が入出力する。
ＡＶs …当該ＡＶ機器が生成するＡＶ信号
ＡＶin…上流側ＡＶ機器からのＡＶ信号
ＡＶout …下流側ＡＶ機器もしくはディスプレイ＆スピーカシステムへ向けたＡＶ信号
ＰｉｎＰ回路１３はＡＶinとＡＶs とを合成しその信号をＡＶout として出力する。ＰｉｎＰ回路１３は合成に際し、２つのＡＶ信号をそれぞれメインチャンネルとサブチャンネルに割り振る。メインチャンネルのＡＶ信号は前述した親画面の映像信号となり、サブチャンネルのＡＶ信号は前述した子画面の映像信号となる。ＰｉｎＰ回路１３はＡＶout の音声信号としてメインチャンネルのＡＶ信号に含まれる音声信号を採用する。ＰｉｎＰ回路１３は制御バスを介して論理判断プロセッサ１５によって制御される。
【００４９】
＝＝＝ＩＦ回路の動作＝＝＝
ここでは、ＩＦ回路の動作につき説明する。表１に以下に説明する（イ）〜（ル）のＩＦ回路の動作をまとめてある。但し、この表では前述した《有》の状態を「１」、《無》の状態を「０」と表記している。
【００５０】
【表１】
0004090556.tif 000002
【００５１】
＜論理判断プロセッサ＞
論理判断プロセッサ１５は、Ｕin、Ｄin、Ｓinの［Ｓ］および［Ｐ］の状態に応じて次の（イ）〜（へ）の処理を行う。
（イ）Ｕin、Ｓinのいずれかの［Ｓ］が《有》の場合にはＤout の［Ｓ］を《有》にする（ａ，ｄ，ｈ，ｊ，ｋ，ｌ，ｎ）。
（ロ）Ｄin、Ｓinのいずれかの［Ｓ］が《有》の場合にはＵout の［Ｓ］を《有》にする（ｅ，ｆ，ｉ，ｊ，ｋ，ｌ，ｏ）。
（ハ）Ｕin、Ｄinのいずれかの［Ｓ］が《有》の場合にはＳout の［Ｓ］を《有》にする（ｂ，ｄ，ｅ，ｆ，ｈ，ｉ，ｎ、ｏ）。
（ニ）Ｕin、Ｓinのいずれかの［Ｐ］が《有》の場合にはＤout の［Ｐ］を《有》にする（ｃ，ｄ，ｆ，ｋ，ｍ，ｎ，ｏ）。
（ホ）Ｄin、Ｓinのいずれかの［Ｐ］が《有》の場合にはＵout の［Ｐ］を《有》にする（ｇ，ｈ，ｉ，ｌ，ｍ，ｎ，ｏ）。
（へ）Ｕin、Ｄinのいずれかの［Ｐ］が《有》の場合にはＳout の［Ｐ］を《有》にする（ｃ，ｄ，ｆ，ｇ，ｈ，ｉ，ｋ，ｌ）。
【００５２】
＜論理判断プロセッサによるＰｉｎＰ回路の制御＞
論理判断プロセッサはＰｉｎＰ回路を制御して次の（ト）〜（ル）の処理を行う。
（ト）Ｓinの［Ｓ］および［Ｐ］が共に《無》であり、かつ、Ｕinの［Ｓ］もしくは［Ｐ］が《有》であればＡＶinをＡＶout とする（ｂ，ｃ，ｄ，ｆ，ｈ）。
【００５３】
（チ）Ｓinの［Ｓ］が《有》であり、かつ、Ｕinの［Ｐ］が《無》の場合にはＡＶs をＡＶout とする（ｊ，ｌ）。
（リ）Ｓinの［Ｓ］が《有》であり、かつ、Ｕinの［Ｐ］が《有》の場合には、ＡＶinをメインチャンネル、ＡＶs をサブチャンネルとして合成し、これをＡＶout とする（ｋ）。
（ヌ）Ｓinの［Ｐ］が《有》であり、かつ、Ｕinの［Ｓ］が《無》の場合にはＡＶs をＡＶout とする（ｍ，ｏ）。
（ル）Ｓinの［Ｐ］が《有》であり、かつ、Ｕinの［Ｓ］が《有》の場合には、ＡＶs をメインチャンネル、ＡＶinをサブチャンネルとして合成し、これをＡＶout とする（ｎ）。
【００５４】
＜利用リクエスト信号を検知した場合の装置制御部の処理＞
利用リクエスト信号を検知した場合、装置制御部は以下の（ヲ）〜（ヨ）の処理を行う。
（ヲ）当該ＡＶ機器が待機状態（Ｓinの［Ｓ］が《有》）または稼動状態（Ｓinの［Ｐ］が《有》）であれば利用リクエストを受け付けない。
（ワ）Ｓout の［Ｓ］が《無》、かつ、Ｓout の［Ｐ］が《無》であれば（ａ）利用リクエストを受け付けて当該ＡＶ機器を待機状態とし、Ｓinの［Ｓ］を《有》にする（ｊ）。タイトル表示のための所定の時間が経過した後、またはカラオケ演奏スタート操作など利用者による稼動開始操作に応じて当該ＡＶ機器を稼動状態とし、Ｓinの［Ｐ］を《有》にし、Ｓinの［Ｓ］を《無》にする（ｍ）。
（カ）Ｓout の［Ｓ］が《無》、かつ、Ｓout の［Ｐ］が《有》であれば（ｃ，ｇ）利用リクエストを受け付けて当該ＡＶ機器を待機状態とし、Ｓinの［Ｓ］を《有》にする（ｋ，ｌ）。Ｓout の［Ｐ］が《無》に変わった段階（ｊ）で当該ＡＶ機器を稼動状態とし、Ｓinの［Ｐ］を《有》にし、Ｓinの［Ｓ］を《無》にする（ｍ）。
（ヨ）当該ＡＶ機器が休止状態になった場合にはＳinの［Ｐ］を《無》にする。
【００５５】
＝＝＝論理判断プロセッサの回路例＝＝＝
図４は、前述した論理判断プロセッサによる待機状態信号［Ｓ］および稼働状態信号［Ｐ］の入出力制御を行う回路の一例である。この例では待機状態信号［Ｓ］の入出力制御を行う回路と稼働状態信号［Ｐ］の入出力制御を行う回路とがＯＲ回路を用いた２ビットパラレルで構成されている。また、図５は各ＡＶ機器が連結された状態におけるこの回路の１ビット分の接続状態を示している。
【００５６】
＝＝＝ＡＶ機器の増設＝＝＝
ところで、新たにＡＶ機器を増設する場合には、最上流に位置するＡＶ機器、すなわち本実施例においてはＩＲＤ装置９に、新たに増設しようとするＡＶ機器のＡＶ出力を入力し、また、ＩＲＤ装置９に、新たに増設しようとするＡＶ機器の下流側ステータス信号出力端子を入力すればよく、この手順により何台でもＡＶ機器を接続することができる。
【００５７】
＝＝＝その他の応用＝＝＝
＜ＰｉｎＰ回路を用いない構成＞
待機状態を用意する必要がない場合には、入力される２つのＡＶ信号を適宜切り換えて一方のＡＶ信号を出力することができるＡＶ信号制御回路を前述したＰｉｎＰ回路の代わりに用いてもよい。この場合には、例えば次の（１）〜（７）の要件を備えた構成とする。
【００５８】
（１）ＩＦ回路は装置制御部、論理判断プロセッサ、ＡＶ信号制御回路により構成される。
【００５９】
（２）装置制御部は当該ＡＶ機器の動作を制御し、利用者が当該ＡＶ機器に設けられた操作パネル等の入力装置に対して所定の操作を行うことにより発生する利用リクエスト信号を検知する。ＡＶ信号制御回路は論理判断プロセッサにより制御される。
【００６０】
（３）ＡＶ信号制御回路には上流からのＡＶ信号ＡＶinおよび当該ＡＶ機器が生成するＡＶ信号ＡＶs を入力され、下流へＡＶout を出力する。論理判断プロセッサには上流側ステータス信号Ｕin、下流側ステータス信号Ｄin、装置制御部からのステータス信号Ｓinが入力され、装置制御部へ向けたステータス信号Ｓout 、上流へ向けたステータス信号Ｕout 、下流へ向けたステータス信号Ｄout を出力する。
【００６１】
（４）Ｕin、Ｄin、Ｕout 、Ｄout には稼動状態信号［Ｐ］が含まれる。稼動状態信号［Ｐ］は、《有》もしくは《無》の状態をとる。
【００６２】
（５）論理判断プロセッサは、Ｕin、Ｄin、Ｓinの［Ｐ］に応じて以下の（イ）〜（ハ）の処理を行う。
（イ）Ｕin、Ｓinのいずれかの［Ｐ］が《有》の場合にはＤout の［Ｐ］を《有》とし（ｂ，ｄ）、Ｕin、Ｓinのいずれの［Ｐ］も《無》の場合にはＤout の［Ｐ］を《無》とする（ａ，ｃ）。
（ロ）Ｄin、Ｓinのいずれかの［Ｐ］が《有》の場合にはＵout の［Ｐ］を《有》とし（ｃ，ｄ）、Ｄin、Ｓinのいずれの［Ｐ］も《無》の場合にはＵout の［Ｐ］を《無》とする（ａ，ｂ）。
（ハ）Ｕin、Ｄinのいずれかの［Ｐ］が《有》の場合にはＳout の［Ｐ］を《有》とし（ｂ，ｃ）、Ｕin、Ｄinのいずれの［Ｐ］も《無》の場合にはＳout の［Ｐ］を《無》にする（ａ，ｄ）。
【００６３】
（６）論理判断プロセッサはＡＶ信号制御回路に対し以下の（ニ）〜（ホ）の制御を行う。
（ニ）Ｕinの［Ｐ］が《有》の場合には、ＡＶinをＡＶout として出力する（ｂ）。（ホ）Ｓinの［Ｐ］が《有》の場合にはＡＶs をＡＶout として出力する（ｄ）。
【００６４】
（７）装置制御部は利用リクエストを検知した場合、以下の（ヘ）〜（ト）の処理を行う。
（へ）Ｓout の［Ｐ］が《無》であれば（ａ）利用リクエストを受け付けて当該ＡＶ機器を稼働状態とし、Ｓinの［Ｐ］を《有》とする（ｄ）。
（ト）当該ＡＶ機器が休止状態になった場合にはＳinの［Ｐ］を《無》にする。
【００６５】
表２は以上に説明した（イ）〜（ト）の処理をまとめたものである。ただし、この表では前述した《有》の状態を「１」、《無》の状態を「０」と表記している。
【００６６】
【表２】
0004090556.tif 000003
【００６７】
＜ＢＧＶ（BackGround Video）機能＞
ところで、ＩＲＤ装置のように一旦稼動状態にするとＡＶ信号を連続的に出力し続けるタイプのＡＶ機器では、他のＡＶ機器が一台も稼動していない場合にディスプレイ＆スピーカシステムにＡＶ信号を出力するＢＧＶ（BackGround Video）提供機器として活用することができる。なお、この場合には例えばＩＲＤ装置のＩＦ回路に、Ｓout の稼動状態信号［Ｐ］および待機状態信号［Ｓ］を常に監視し、［Ｐ］と［Ｓ］がいずれも《無》であれば休止状態から一気に稼動状態に切り換え、Ｓout の待機状態信号［Ｓ］をさらに監視し続け、他のＡＶ機器のいずれかが待機状態になれば直ちに休止状態に切り換えるようにする機能を設ければよい。
【００６８】
＜複数のＡＶ機器に対して同時に利用リクエストがあった場合の処置＞
ところで、例えば待機中のＡＶ機器が存在しないときに、２台のＡＶ機器が同時に利用リクエストを検知したとする。この場合には、２台とも待機状態に切り換わってしまう恐れがある。これを回避する方法として例えば、待機状態へ移行するプロセスにおいて、ＩＦ回路は、まずステータス信号を待機状態に切り換え、適度な時間差をあけて下流側のステータス信号であるＤinの待機状態信号［Ｓ］を調べる。この時点で下流側に同時に待機状態になったＡＶ機器がないことを確認した上で装置制御部は当該ＡＶ機器への利用リクエストを受け付け、待機状態に移行する。もしも下流側に待機状態のＡＶ機器があれば、当該ＡＶ機器に対する利用リクエストは受け付けない。これで、下流側を優先にした回避処置がとれる。
【００６９】
＜複数台のＡＶ機器が同時に待機状態になれるようにする方法＞
待機状態信号［Ｓ］の数を［Ｓ１］、［Ｓ２］…のように複数個に拡張すれば、２台以上のＡＶ機器が同時に待機状態になれるようにすることができる。この場合、利用リクエストがある度に［Ｓ１］、［Ｓ２］…の状態を順に《有》にしていき、［Ｓ１］の機器が稼働状態に移行した段階で、［Ｓ２］−＞［Ｓ１］、［Ｓ３］−＞［Ｓ２］のように各待機状態信号の状態を順にシフトするようにする。尚、この場合、ディスプレイには稼働状態［Ｐ］にあるＡＶ機器による映像と、待機状態にある全てのＡＶ機器の映像を同時に表示してもよいが、これでは画面が見にくくなるので同時に表示する映像を限定し、表示パネル等に待機状態にあるＡＶ機器の台数や待機順等を表示するようにしてもよい。
【００７０】
＜課金装置による利用リクエスト＞
課金装置を備えるＡＶ機器であれば、この課金装置に対して利用料金の支払いがあった場合に前述した利用リクエスト信号が発生するようにしてもよい。但し、前述した実施例のように稼働状態および待機状態にあるＡＶ機器が１台しか存在できない場合には、課金装置に貨幣の不当飲み込みなどの不具合が生じないように各ＡＶ機器の稼動状態および待機状態に応じて貨幣の投入を許可したり禁止したりする機構を設ける必要がある。
【００７１】
＜ステータス信号の入出力インタフェース＞
前述した実施例におけるステータス信号の入出力インタフェースはＲＳ−２３２Ｃのようなシリアル伝送によるものであってもよいし、また、セントロニクス規格のようなパラレル規格のものであってもよく、各ＡＶ機器の性質等を考慮して最適なものを選択すればよい。
【００７２】
【発明の効果】
本発明によれば、従来のようにＡＶセレクタ等を用意して複雑なセッティング作業をすることなく同一のディスプレイ＆スピーカシステムを共用する形態で複数台のＡＶ機器を連結することができる。しかも、ＩＦ回路により接続規則が画一化されるのでＡＶ機器の増設、撤去、配置換え等における作業は従来に比べて格段に省力化される。
【図面の簡単な説明】
【図１】本発明の一実施例による各機器を連結した状態を説明する図である。
【図２】本発明の一実施例による各機器の動作例を説明する図である。
【図３】本発明の一実施例によるＩＦ回路の概略ブロック構成図である。
【図４】本発明の一実施例による論理判断プロセッサによる待機状態信号［Ｓ］および稼働状態信号［Ｐ］の入出力制御を行う回路の一例を示す図である。
【図５】本発明の一実施例による各ＡＶ機器が連結された状態における図５に示す回路の１ビット分の接続状態を示す図である。
【符号の説明】
３  ディスプレイ＆スピーカシステム
５  カラオケ装置
７  ビデオゲーム装置
８  ＤＶＤ装置
９  ＩＲＤ装置
１１  ＩＦ回路
１２  装置制御部
１３  映像合成回路
１５  論理判断プロセッサ
【図１】
0004090556.tif 000004
【図２】
0004090556.tif 000005
【図３】
0004090556.tif 000006
【図４】
0004090556.tif 000007
【図５】
0004090556.tif 000008